(57)【要約】【課題】手押し車の制動装置であって、高齢者や女性等の握力の弱いものであっても、軽い力でわずかにブレーキ杆を引き上げるだけで、ブレーキワイヤーが大きなストロークで引き上げられて、迅速、且つ、確実なブレーキ操作を行えるようにする。しかも、ブレーキをな滑らかに効かせて急ブレーキを防ぎ、手押し車ごとからだが前のめりに転倒することを防ぐ。【構成】。手押し車の上部側部から前方へＵ字形に伸びるハンドルの両端部に取り付けたグリップエンドハウジングにハンドル下部に位置するブレーキ杆の端部を枢動可能に収納し、一端をグリップエンドハウジング内に固着したブレーキ操作ワイヤーをブレーキ杆の端部付近へ巻架し、フック部材でブレーキ杆をハンドル杆へ掛け止めするのである。【選択図】図１
2007269159.tif 000002
【特許請求の範囲】
【請求項１】
手押し車の上部側部から前方へＵ字形に伸びるハンドル杆の両端部に固着したグリップエンドハウジングに、ハンドル杆下部に位置する前方へU字形に伸びたブレーキ杆の端部を枢動可能に収納し、
端部をグリップエンドハウジング内に固着したブレーキ操作ワイヤーをブレーキ杆の端部付近へ巻架したことを特徴とする手押し車の制動装置。
【請求項２】
フック部材でブレーキ杆をハンドルへ掛け止めした状態のブレーキ杆を引き上げてブレーキを作用し、フック部材をブレーキ杆から解除してブレーキロックを作用させることを特徴とする請求項1記載の手押し車の制動装置。
【発明の詳細な説明】
【技術分野】
【０００１】
本発明は一般には足腰に不安を感じる高齢者が散歩や買い物等において使用するのに便利な手押し車に関するものである。しかしながら、これらのシルバーカーに限定されるものではなく、ベビーカー、ショッピングカー等、その他の手押し車を含むものである。より詳細には当該手押し車の制動装置に関するものである。
【背景技術】
【０００２】
【特許文献１】特開２００５−１１９３６４号公報
【発明の開示】
【発明が解決しようとする課題】
【０００３】
従来の手押し車の制動機構は手押し車の把手部分に回動可能に取り付けられたブレーキ杆を回動することによってこれに連結されたブレーキワイヤーが引き寄せられ、ブレーキワイヤーの先端に連結されたブレーキ作動杆を作動させてブレーキ作動杆に設けられたブレーキシューが手押し車の車輪に接触して車輪を制動していた。
ブレーキ杆を手から離すとブレーキ作動杆に取り付けたバネ等の付勢力により引き寄せられていたブレーキワイヤーが元の状態に戻り、同時にブレーキ杆も元の位置に復帰し、車輪の制動が解除されるように構成されている。
ところが、手押し車を利用する女性や老人は一般的に握力が弱く、また、迅速なブレーキ操作を行えない場合がある。
従来の手押し車のブレーキワイヤーは、その一端がブレーキ杆に接続されているためブレーキレバーを強く、早く引き上げないとブレーキの効きが悪い。引例の発明では不当に大きな範囲にわたってブレーキレバーを握らなくてもブレーキワイヤーに充分なストロークを与える工夫として、手押し車のハンドルの中間位置にギヤ支持部を設け、ギヤ支持部内に互いに掛け合う第一のギヤ及び第二のギヤを内装し、後方のブレーキレバーを第一のギヤに連動可能に取り付け、下端を第二のギヤに固着されたワイヤ操作レバーによってブレーキワイヤーを後方に牽引している。
しかしながら、この引例においてもワイヤーの一端がワイヤー操作レバーによって牽引される機構であることは同様であり、二つのギヤのギヤ比を変えて、軽い力でブレーキワイヤーをより長く牽引することができるが、ブレーキハンドル部分の構成が複雑となり、部材点数も増えてブレーキ操作が簡便でなくなるうえ、コスト高となる。
そこで本願発明は老人や女性など握力の弱いものであってもブレーキの効きを良くすることを課題とし、しかも簡易な構造でこれを達成できるようにした。
【課題を解決するための手段】
【０００４】
ハンドル杆とブレーキ杆とブレーキワイヤーから構成される手押し車の制動装置において、端部をグリップエンドハウジング内に固着したブレーキワイヤーを同、ハウジング内で枢同可能に取り付けたブレーキ杆の端部付近に巻架するのである。
また、ハンドルに取り付けたフック部材にブレーキ杆を掛け止めしてブレーキのロック操作を行うのである。
【発明の効果】
【０００５】
ブレーキワイヤーをブレーキ杆の端部に接続して牽引するのではなく、端部付近に巻架したので、ブレーキレバーを軽く引き上げるだけで、楽にブレーキをかけることができる。また、ブレーキ杆を把持する力を少し緩めるだけでブレーキの解除が行える。従って、手押し車の利用者である高齢者や女性など、握力の弱い者でもブレーキ操作を楽に、且つ、確実に行えて安全である。また、ブレーキワイヤーを、円形パイプであるブレーキ杆に巻架するのでブレーキワイヤーが滑りやすく、ブレーキ操作が滑らかで急ブレーキの衝動を緩和できる。しかも、これらの効果を部材点数を増やすことなく簡易な構造で達成するため、コスト高とならない。
【発明を実施するための最良の形態】
【０００６】
次に、図面を参照しながら、本願発明の最良の実施形態について詳説する。
制動装置が装着される手押し車は使用者が操作を行う操作部と、手押し車の車輪へ直接作動する作動部と、操作部と作動部を連結する操作ワイヤーとにより構成される。
図１は本件発明にかかる手押し車の操作部１の斜視図である。操作部１はU字形ハンドル杆３とハンドル杆３の下方に位置するU字形ブレーキ杆４及び前輪杆７の端部に固着する一対のグリップエンドハウジング（以下、「ハウジング」と略す。）５−５から成る。ハンドル杆３の中央部にはフック部材６を装着し、ブレーキ杆４を掛け止めしてブレーキのロック操作を行う。ブレーキワイヤー２の端部もハウジング５に収容されている。
進行方向に向けてU字形に張り出したハンドル杆３にはウレタン樹脂が巻装されており、使用者の使い勝手を向上させると共に、手が滑りにくくなっている。使用者はハンドル杆３の中に体を差し入れてこれを把持し、手押し車を押進させる。ハウジングの上面及び内側にも同様にウレタン樹脂を貼着してある。
この手押し車を歩行の補助にするときは、使用者は、ハンドル杆3やハウジング5の上に肘を乗せ、ハンドル杆3に上体を預けた状態で押進する。ハンドル杆３のどの位置に左右の手が位置するかわからず、また、片手でしかブレーキ操作を行えない場合があるので、ブレーキ杆４はハンドル杆3と同形状で、ブレーキワイヤー２−２も左右に設けられている。これにより、手がハンドル杆３のどの位置にあってもブレーキ杆４に手が届き、また、片手だけでもブレーキ操作が行えるのである。
ハンドル杆３の両端３ａ−３ａはハウジング5内に固着されている。一方、ハンドル杆3の下方に位置するブレーキ杆4は、ハンドル杆３同様、前方にU字形に張り出しており、両端部４ａ―４ａはハウジング5内で回動自在に軸部８によって軸支されている。一対のブレーキワイヤー２−２はハウジング5−5内に収納されたブレーキ杆4の両端部付近４ｂ−４ｂに掛架されており、ワイヤーの一端部２ａはハウジング5内に固着されており、ブレーキ杆４に掛架された後、他端はハウジング下部に穿設した穴５ａから下方に延出し、その先端に設けたブレーキ作動杆に連結されている。
このブレーキ杆4をハンドル杆３方向、すなわち、上方に向けて引き上げると図２に示すようにブレーキワイヤー２が引き上げられ先端に設けたブレーキ作動杆（図示せず）が連動し、ブレーキ作動杆に設けたブレーキシューが車輪に接触してブレーキが掛かる。
ブレーキワイヤーは、端部でブレーキ杆と接続しているのではなく、断面円形のブレーキ杆の端部付近に巻掛されているため、ブレーキ杆をわずかに引き上げるだけで、大きなストロークでブレーキワイヤーが引き上げられ、しかもブレーキワイヤーが滑らかに動くため、急ブレーキが掛かって手押し車ごと前のめりになることがない。
ブレーキ杆４を離すとブレーキ作動杆に取り付けた弾性体の付勢力によりブレーキ杆4は元の位置に復帰してブレーキが解除される。
一方、請求項2記載のブレーキのロック機構、すなわち、手押し車の動きを完全に停止させるためのロック操作は、図４に示すようにハンドル3の中央部に取り付けたフック部材6を操作して行う。つまり、ブレーキ杆4を上方に引き上げながらフック部材６を矢印方向へ回動させると、ブレーキ杆４がバネ等の弾性力によって下方へ引き下げられブレーキ作動杆に設けたストッパ片が車輪の係止部に係合して車両を停止状態にするのである。ロック状態を解除するにはブレーキ杆4を単に持ち上げるだけでよい。
【産業上の利用可能性】
【０００７】
足腰に不安を感じる高齢者が散歩や買い物等において使用する手押し車の制動装置に利用可能である。しかしながら、シルバーカーに限定されるものではなく、ベビーカー、ショッピングカー等、その他の手押し車等に広く応用可能である。
【図面の簡単な説明】
【０００８】
【図１】本願発明の制動装置の操作部の斜視図。
【図２】ハウジング付近の構造を示す説明図。
【図３】ブレーキ杆を引き上げた状態を示す説明図。
【図４】請求項2記載のブレーキロックを掛けた状態を示す説明図。
【符号の説明】
【０００９】
1、制動装置操作部    ２、ブレーキワイヤー    ３、ハンドル杆    ４、ブレーキ杆    ５、グリップエンドハウジング    ６、フック部材
【図１】
2007269159.tif 000003
【図２】
2007269159.tif 000004
【図３】
2007269159.tif 000005
【図４】
2007269159.tif 000006